(57)【要約】      （修正有）【課題】ハイアングル撮影時に、不必要に測距対象領域を制限することなく、手前の人の頭に合焦することを防止することを可能にした撮像装置を提供する。【解決手段】ユーザが撮像装置１００を持ち上げたことを検出する高さ検出手段５５と、煽り方向の傾きを検出する傾き検出手段５７と、撮像範囲に測距非対象領域を設定する測距非対象領域設定手段５０を有する。高さ検出手段５５にて撮像装置が持ち上げられたことが検出された場合、傾き検出手段５７によって検出された煽り方向の傾きの大きさに応じて測距非対象領域の大きさを変更する。【選択図】図２
2018107550.tif 000002
【特許請求の範囲】
【請求項１】
撮像装置（１００）であって、
ユーザが撮像装置（１００）を持ち上げたことを検出する高さ検出手段（５５）と、
煽り方向の傾きを検出する傾き検出手段（５７）と、
撮像範囲に測距非対象領域（５０２）を設定する測距非対象領域設定手段（５０）を有し、
前記高さ検出手段（５５）にて、前記撮像装置（１００）が持ち上げられたことが検出された場合、
前記傾き検出手段（５７）によって検出された煽り方向の傾きの大きさに応じて、
前記測距非対象領域（５０２）の大きさを変更することを特徴とする撮像装置（１００）。
【請求項２】
前記測距非対象領域設定手段（５０）は、前記傾き検出手段（５７）によって検出される煽り方向下向きの傾きが小さいほど前記測距非対象領域（５０２）を小さく、煽り方向下向きの傾きが大きいほど前記測距非対象領域（５０２）を大きくすることを特徴とする請求項１に記載の撮像装置（１００）。
【請求項３】
前記高さ検出手段（５５）によってユーザが持ち上げたことを検知していない状態では、
前記測距非対象領域設定手段（５０）は前記測非対称領域（５０２）を設定しないことを特徴とする請求項１に記載の撮像装置（１００）。
【請求項４】
前記撮像装置（１００）がズーム撮影状態の場合、前記測距非対象領域設定手段（５０）はズーム倍率に応じて前記測距非対象領域（５０２）の大きさを変更することを特徴とする請求項１に記載の撮像装置（１００）。
【請求項５】
前記測距非対象領域設定手段（５０）は、前記ズーム倍率が小さいほど前記測距非対象領域（５０２）を大きく、前記ズーム倍率が大きいほど前記測距非対象領域（５０２）を小さくすることを特徴とする請求項４に記載の撮像装置（１００）。
【請求項６】
撮像装置（１００）であって、
前記撮像装置（１００）持ち上げて撮影を行うモードに設定するモード設定手段（６０）と、
煽り方向の傾きを検出する傾き検出手段（５７）と、
撮像範囲に測距非対象領域（５０２）を設定する測距非対象領域設定手段（５０）を有し、
ユーザが前記モード設定手段（６０）で持ち上げ撮影モードに設定した場合、
前記傾き検出手段（５７）によって検出された煽り方向の傾きの大きさに応じて、
前記測距非対象領域（５０２）の大きさを変更することを特徴とする撮像装置（１００）。
【請求項７】
前記測距非対象領域設定手段（５０）は、前記傾き検出手段（５７）によって検出される煽り方向下向きの傾きが小さいほど前記測距非対象領域（５０２）を小さく、煽り方向下向きの傾きが大きいほど前記測距非対象領域（５０２）を大きくすることを特徴とする請求項６に記載の撮像装置（１００）。
【請求項８】
前記高さ検出手段（５５）によってユーザが持ち上げたことを検知していない状態では、
前記測距非対象領域設定手段（５０）は前記測非対称領域（５０２）を設定しないことを特徴とする請求項６に記載の撮像装置（１００）。
【請求項９】
前記撮像装置（１００）がズーム撮影状態の場合、前記測距非対象領域設定手段（５０）はズーム倍率に応じて前記測距非対象領域（５０２）の大きさを変更することを特徴とする請求項６に記載の撮像装置（１００）。
【請求項１０】
前記測距非対象領域設定手段（５０）は、前記ズーム倍率が小さいほど前記測距非対象領域（５０２）を大きく、前記ズーム倍率が大きいほど前記測距非対象領域（５０２）を小さくすることを特徴とする請求項９に記載の撮像装置（１００）。
【発明の詳細な説明】
【技術分野】
【０００１】
本発明は、撮像装置における自動焦点機能の制御に関するものである。
【背景技術】
【０００２】
デジタルスチルカメラ、デジタルビデオカメラ等の撮像装置による撮影において、運動会やイベント会場等、多くの人が集まっているような場所では、人垣越しに撮影をしなければならない時がある。この時、ユーザが撮像装置を自分の頭より高い位置まで持ち上げた状態での撮影（ハイアングル撮影）を行うことになるが、撮像範囲に前の人の頭が入ってしまうと、本来焦点を合わせたい被写体ではなく、前の人の頭に焦点が合ってしまうことがある。
【０００３】
ハイアングル撮影は撮像装置を高く持ち上げての撮影であるため、ボタンやタッチパネル等の各種操作部材による操作もしにくく、ユーザが任意に合焦位置を指定することは難しい。この問題に対して、特許文献１では、回動可能な液晶モニターを搭載した撮像装置において、液晶モニターの表示面が下向きの時にハイアングル撮影と判断し、自動焦点機能の再合焦判定までの時間を延長する手法が開示されている。これにより、人の頭の出入りによる焦点が遠近することを防止することが可能になる。また特許文献２では、撮像装置の縦位置／横位置に基づいて撮影画面の下方領域を判断し、下方領域に位置する領域を測距の対象から除外する手法が開示されている。
【先行技術文献】
【特許文献】
【０００４】
【特許文献１】特開２００７−２１４９９９号公報
【特許文献２】特開２００３−２５５２１６号公報
【発明の概要】
【発明が解決しようとする課題】
【０００５】
しかしながら、上述の特許文献１に開示された従来技術では、手前の人の頭に合焦してしまうこと自体は防ぐことができない。また、特許文献２に開示された従来技術では、測距対象から除外する領域の範囲は固定なうえ、測距対象領域を狭めるシーンがハイアングル撮影時等に限定されていないため、障害物がない時にも不必要に測距対象領域を制限してしまう。
【０００６】
そこで、本発明の目的は、ハイアングル撮影時に、不必要に測距対象領域を制限することなく、手前の人の頭に合焦することを防止することを可能にした撮像装置を提供することである。
【課題を解決するための手段】
【０００７】
上記目的を達成するために、本発明の一側面としての撮像措置は
ユーザが頭上に持ち上げたことを検出する高さ検出手段と、
煽り方向の傾きを検出する傾き検出手段と、
撮像範囲に測距非対象領域を設定する測距非対象領域設定手段を有し、
前記高さ検出手段にて、前記撮像装置が持ち上げられたことが検出された場合、
前記傾き検出手段によって検出された煽り方向の傾きの大きさに応じて、
前記測距非対象領域を変更することを特徴とする
【発明の効果】
【０００８】
本発明によれば、撮像装置を頭上に持ち上げての撮影において、不必要に測距対象領域を制限することなく、撮影したい被写体ではない、前の人の頭などの障害物に焦点が合うことを防止することができる。
【図面の簡単な説明】
【０００９】
【図１】本発明の実施例に係るデジタルカメラの処理動作を示すフローチャートである。
【図２】本発明の実施例に係るデジタルカメラの構成を示すブロック図である。
【図３】本発明の実施例に係る持ち上げ検出を示す説明図である。
【図４】本発明の実施例に係るデジタルカメラの煽り方向の傾き量に応じた撮像領域における障害物範囲を示す説明図である。
【発明を実施するための形態】
【００１０】
以下、図面を参照して本発明の好適な実施形態を説明する。図２は、本実施形態による撮像装置の一例であるデジタルカメラの構成例を示すブロック図である。図２において、レンズユニット１５０は、交換可能な撮影レンズを搭載するレンズユニットである。
【００１１】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６、１０を介してシステム制御部５０と通信し、内部のレンズシステム制御回路４によって絞り駆動回路２を介して絞り１の制御を行い、ＡＦ駆動回路３を介して、レンズ１０３の位置を変位させることで焦点を合わせる。
【００１２】
ＡＥセンサ１７は、レンズユニット１５０を通した被写体の輝度を測光する。焦点検出部１１は、システム制御部５０にデフォーカス量情報を出力する。システム制御部５０はそれに基づいてレンズユニット１５０を制御し、位相差ＡＦを行う。シャッター１０１は、システム制御部５０の制御で撮像部２２の露光時間を自由に制御できるフォーカルプレーンシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１３】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１４】
Ａ／Ｄ変換器２３からの出力データは、画像処理部２４及びメモリ制御部１５を介して、或いは、メモリ制御部１５を介してシステムメモリ５２に直接書き込まれる。システムメモリ５２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１５】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、スルー画像表示（ライブビュー表示）を行える。
【００１６】
ファインダ内液晶表示部４１には、ファインダ内表示部駆動回路４２を介して、現在オートフォーカスが行われている測距点を示す枠（ＡＦ枠）や、カメラの設定状態を表すアイコンなどが表示される。操作部７０の操作により、ファインダを覗いた状態で、選択中野ＡＦ枠を示すカーソル位置を移動させ、フォーカスを合わせたいポイントを変更する事が出来る。
【００１７】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１８】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１９、表示部２８等を制御することにより表示制御も行う。
【００１９】
モード切替スイッチ６０、第１シャッタースイッチ６２、第２シャッタースイッチ６４、操作部７０はシステム制御部５０に各種の動作指示を入力するための操作手段である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。
【００２０】
モード切替スイッチ６０で、メニューボタンに含まれるこれらのモードのいずれかに直接切り替えられる。あるいは、モード切替スイッチ６０でメニューボタンに一旦切り換えた後に、メニューボタンに含まれるこれらのモードのいずれかに、他の操作部材を用いて切り替えるようにしてもよい。同様に、動画撮影モードにも複数のモードが含まれていてもよい。
【００２１】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２２】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２３】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２４】
操作部７０は、ユーザからの操作を受け付ける入力部としての各種操作部材である。操作部７０には、シャッターボタン６１、電源スイッチ７２等が含まれる。なお操作部７０とは別に、表示部２８に対する接触を検知可能なタッチパネル２７を有する。タッチパネル２７と表示部２８とは一体的に構成することができる。例えば、タッチパネル２７を光の透過率が表示部２８の表示を妨げないように構成し、表示部２８の表示面の上層に取り付ける。そして、タッチパネル２７における入力座標と、表示部２８上の表示座標とを対応付ける。
【００２５】
これにより、恰もユーザが表示部２８上に表示された画面を直接的に操作可能であるかのようなＧＵＩ（グラフィカルユーザーインターフェース）を構成することができる。タッチパネル２７は、タッチパネル制御部２６を介して、検出したタッチ位置座標をシステム制御部５０に通知する。システム制御部５０はタッチパネル駆動部２６を介して、タッチパネル２７への操作、あるいは状態を検出できる。
【００２６】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２７】
電源部３０は、アルカリ電池やリチウム電池等の一次電池やＮｉＣｄ電池やＮｉＭＨ電池、Ｌｉ−ｉｏｎ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２８】
通信部５４は、無線または有線ケーブルによって接続し、映像信号や音声信号の送受信を行う。通信部５４は無線ＬＡＮ（Local Area Network）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００２９】
気圧センサ５５は、大気圧を検知可能なセンサであり、検知した気圧情報を用いて撮像装置１００の高さを検出することができる。また、所定時間内の気圧変化情報を用いることで、所定時間内でのデジタルカメラ１００の高さ変化量を検出することができる。加速度センサ５７は、撮像装置に加わった重力加速度を検知可能なセンサであり、検知した重力加速度情報を用いてデジタルカメラ１００の傾きを検出することができる。本発明においては、デジタルカメラ１００の煽り方向、つまり光軸が鉛直方向に対してどの程度傾いているかを検出可能なように搭載される。
【００３０】
［実施例］
以下、図１を参照して、本発明の実施例による、デジタルカメラ１００の制御方法について説明する。図１はデジタルカメラ１００のハイアングル撮影における測距対象領域の制御フローチャートである。このフローチャートおける各処理は、システム制御部５０が不揮発性メモリ５６に格納されたプログラムをシステムメモリ５２に展開して実行することにより実現される。
【００３１】
ステップＳ１０１では、気圧センサ５５が所定時間内での高さ変化量を算出する。数１０ｍｓ程度の時間間隔で周期的に高さ検出を行い、ある時刻ｔ１と、ｔ１より後の時刻であるｔ２における高さＨｔ１およびＨｔ２の差ΔＨ＝Ｈｔ２−Ｈｔ１を算出する。この時、時刻ｔ１とｔ２の間隔はユーザがデジタルカメラ１００を持ち上げる動作として認識可能な時間（例えば５００ｍｓｅｃ〜１ｓｅｃ程度）とする。算出したΔＨはシステム制御部５０に送信される。本ステップにおける、所定時間内の高さ変化の測定は常時行われているものとする。
【００３２】
ステップＳ１０２では、システム制御部５０が、ステップＳ１０１で算出したΔHを用いて、ハイアングル撮影状態になったか否かを判定する。具体的にはΔＨと閾値Ｈｔｈの比較を行う。閾値Ｈｔｈは正の値である。ここで、ΔＨがＨｔｈ以上であった場合、図３に示すように、所定時間内に高さが所定以上増加したことを意味する。この時、システム制御部５０はユーザがデジタルカメラ１００を持ち上げてハイアングル撮影状態になったと判定し、ステップＳ１０３に進む。
【００３３】
ステップＳ１０３では、加速度センサ５７が、デジタルカメラ１００の煽り方向下向きの傾き角θｚを算出する。算出されたθｚはシステム制御部５０に送信される。図４は、デジタルカメラ１００の煽り方向下向きの角度θｚの大きさによる撮影構図の一例を示した図である。デジタルカメラ１００が図４（ａ）、（ｂ）、（ｃ）それぞれの状態における構図がそれぞれ図４（ｄ）、（ｅ）、（ｆ）である。このように、デジタルカメラ１００の煽り方向下向きの傾きθｚが大きくなるほど、撮像範囲４００に前の人の頭４０１が入り込む領域が大きくなる様子を示している。
【００３４】
ステップＳ１０４では、システム制御部５０が、ステップＳ１０３にて算出されたθｚが閾値θｔｈ１以上であるか否かを判定する。θｔｈ１より小さいと判定された場合は、ステップＳ１０５に進む。θｔｈ１以上と判定された場合は、ステップＳ１０６に進む。
【００３５】
ステップＳ１０５では、システム制御部５０が、撮像範囲４００全体を測距対象領域とし、Ｓ１０９へ進む。θｚがθｔｈ１より小さい時は、図４（ａ）に示すような、煽り方向下向きにほとんど傾いていない状態である。この時は図４（ｄ）撮像範囲４００に前の人の頭４０１が入り込む領域は小さく、頭４０１に焦点が合ってしまう可能性は低い。そのため、撮像範囲４００の全体を測距対象とする。
【００３６】
ステップＳ１０６では、θｚが閾値θｔｈ２以上であるか否かを判定する。θｔｈ２はθｔｈ１よりも大きな値である。ここで、θｚがθｔｈ２より小さいと判定された場合はステップＳ１０７に進む。θｔｈ２以上と判定された場合は、ステップＳ１０８に進む。ステップＳ１０７では、システム制御部５０が、撮像範囲４００の下側における第一の範囲を測距対象から除外する処理を行う。θｚがθｔｈ１以上でθｔｈ２より小さい時は、デジタルカメラ１００の煽り方向にある程度傾いている図４（ｂ）に示すような状態である。
【００３７】
このような状態では、図４（ｅ）に示すように、撮像範囲４００に入り込む前の人の頭４０１の領域は大きくなるため、頭４０１に焦点が合ってしまう可能性が高くなる。この時、図４（ｅ）の斜線領域５０２で示す、撮像範囲４００の下側の一部領域を測距対象から除外する。こうすることで人の頭４０１が入り込む領域には焦点が合わないようにする。この時に設定する測距非対象領域５０２の大きさは、例えば撮像範囲４００の下側２０％など、一意的に定めることとする。
【００３８】
ステップＳ１０８では、システム制御部５０が、撮像範囲４００の下側における第二の範囲を測距対象から除外する処理を行う。この第二の範囲は、前述の第一の範囲よりも大きな範囲である。θｚがθｔｈ１よりも大きな値であるθｔｈ２以上であると判定された時、デジタルカメラ１００は図４（ｃ）に示すように、図４（ｂ）よりも更に下向きに傾いた状態である。そのため、図４（ｆ）に示すように、撮像範囲４００に対して前の人の頭４０１が占める領域は図４（ｅ）よりも大きくなる。そのため、人の頭４０１に焦点が合ってしまう可能性が更に高まる。
【００３９】
この時、図４（ｆ）の斜線領域５０２で示すように、撮像領域４００の下側における、図４（ｅ）よりも更に大きな領域を測距対象から除外する。この時に設定する測距非対象領域５０２の大きさは、例えば撮像範囲４００の下側３０％など、ステップＳ１０７で設定した領域より大きい範囲で一意的に定めることとする。
【００４０】
ステップＳ１０９では、ハイアングル状態ではなくなったか否かを判定する。ステップＳ１０２にてデジタルカメラ１００がハイアングル状態となったことが検知されて以降、所定時間内の高さの変化が負の方向に所定以上あった場合、ユーザがデジタルカメラ１００を下げてハイアングル状態ではなくなったと判定する。高さ変化が所定以下だった場合、ハイアングル状態が継続されていると判定し、ステップＳ１０３からの煽り方向下向きの傾きに応じた測距非対象領域の設定フローを繰り返す。ハイアングル状態ではなくなったと判定された場合は、ステップＳ１１０に進む。
【００４１】
ステップＳ１１０では、システム制御部５０が，それまで設定されていた測距除外領域設定を解除し、撮像範囲４００全体を測距対象とする。
【００４２】
以上のように、デジタルカメラ１００を持ち上げてのハイアングル撮影において、撮像範囲４００下側の一定領域を測距非対象領域とすることで、前の人の頭４０１に焦点が合ってしまうことを防ぐことができる。また、デジタルカメラ１００の煽り方向下向きの傾きが小さい時は測距非対象領域５０２を小さく、傾きが大きい時は測距非対象領域５０２を大きくするようにすることで、前の人の頭４０１が撮像範囲４００にあまり入らないと思われる場合に、必要以上に大きな領域を測距対象から除外するのではなく、適切な領域を設定することが可能である。
【００４３】
なお、システム制御部５０の制御は１つのハードウェアが行ってもよいし、複数のハードウェアが処理を分担することで、装置全体の制御を行ってもよい。また、本実施例では気圧センサ５５を用いて自動的にハイアングル検知を行うようにしたが、デジタルカメラ１００の設定としてハイアングルモードというモードを持たせておき、ユーザがハイアングル撮影を行う際に自分でそのモードに入るようにしても良い。その場合、ハイアングルモードに設定されていない状態では、煽り方向の傾きによる測距非対象領域５０２の設定は行わない。
【００４４】
また、本実施例では煽り方向下向きの傾きの閾値としてθｔｈ１とθｔｈ２の２つを設けて、測距非対象領域５０２の大きさも各閾値との比較に応じて第一、第二の範囲の二段階としているが、この段数は限定しない。
【００４５】
更に、デジタルカメラ１００の光学及び電子ズームによるズーム倍率を測距非対象範囲の設定条件に加えても良い。ズーム倍率が高い時は倍率が小さい時に比べて近くのものは撮像範囲４００に入りにくい。そのため、ハイアングル状態において、ズーム倍率が高い時は、測距非対象領域５０２は小さく設定し、ズーム倍率が小さい時は測距非対象領域５０２を大きく設定するようにする。
【００４６】
なお、上述した各実施形態は本発明の一実施形態を示すものにすぎず、各実施形態を適宜組み合わせることも可能である。
【符号の説明】
【００４７】
５０：システム制御部、５５：気圧センサ、５７：加速度センサ、１００：デジタルカメラ、４００：撮像範囲、５０２：測距非対象領域
【図１】
2018107550.tif 000003
【図２】
2018107550.tif 000004
【図３】
2018107550.tif 000005
【図４】
2018107550.tif 000006